(57)【要約】【課題】  本発明の課題は低コストの部品構成からなり、短時間でいわゆる重ね印刷をすることができるインクジェットプリンタを提供すること。【解決手段】  インクジェットプリンタ１には、記録媒体４の搬送及び搬送停止を順に繰り返し記録媒体４を副走査方向の下流側に間欠的に搬送する搬送装置と、前記搬送停止時に記録媒体４にインクを吐出するシリアル記録ヘッド３，３・・と前記搬送時に記録媒体４にインクを吐出する第一ライン記録ヘッド１０又は第二ライン記録ヘッド１２と、を備え、記録媒体４の間欠的搬送における一連の動作を有効に記録作業に用いる。【選択図】  図１
2005138398.tif 000002
【特許請求の範囲】
【請求項１】
インクを吐出する吐出口を有する記録ヘッドを用いて記録媒体に画像記録を行うインクジェットプリンタであって、主走査方向の往復動作を伴って前記記録媒体にプロセスカラーのインクを吐出するシリアル方式のシリアル記録ヘッドと、主走査方向に延在する吐出口を有し前記記録媒体の全面に同色のインクを吐出するライン方式のライン記録ヘッドと、を備えたことを特徴とするインクジェットプリンタ。
【請求項２】
前記ライン記録ヘッドは、前記シリアル記録ヘッドよりも解像度が低いことを特徴とする請求項１に記載のインクジェットプリンタ。
【請求項３】
前記インクは、紫外線を照射されることにより硬化する紫外線硬化型インクであり、前記記録媒体に着弾した前記インクに対して紫外線を照射する紫外線照射装置を備えることを特徴とする請求項１又は請求項２に記載のインクジェットプリンタ。
【請求項４】
前記記録媒体は、透明又は半透明の樹脂製フィルムであることを特徴とする請求項３に記載のインクジェットプリンタ。
【請求項５】
前記ライン記録ヘッドは、前記シリアル記録ヘッドよりも副走査方向の上流側、又は下流側の少なくとも一方に配置されていることを特徴とする請求項４に記載インクジェットプリンタ。
【請求項６】
前記ライン記録ヘッドの吐出口は、白インクを貯留するインクタンクと連通していることを特徴とする請求項５に記載のインクジェットプリンタ。
【発明の詳細な説明】
【技術分野】
【０００１】
本発明は、インクジェットプリンタに係り、特に、いわゆる重ね印刷用のインクジェットプリンタに関する。
【背景技術】
【０００２】
従来から、プロセスカラー等の各色インクを記録媒体に吐出して画像記録を行う場合に、その吐出された部分に光が透過してしまうことを防ぎ、プロセスカラー等により記録される画像を際立たせるために、前記画像の背景となる色のインクを前記画像の記録前又は記録後に記録媒体の全面に吐出し、インクにインクを重ねるいわゆる重ね印刷が知られている。そしてこのような印刷方法を行うことができるインクジェットプリンタが開発されている。
【０００３】
前記のインクジェットプリンタには主走査方向に往復動するキャリッジが備えられている。このキャリッジには白インクを吐出するシリアル方式の白インク用記録ヘッドと、イエロ、マゼンタ、シアンの色の何れか一色のインクを吐出する複数のシリアル方式の有色インク用記録ヘッドとが、搭載されている。また、前記のインクジェットプリンタには搬送及び搬送停止を順に繰り返し画像が記録される記録媒体を間欠的に搬送する記録媒体搬送装置が備えられている。このような構成を有するインクジェットプリンタは、前記の搬送停止時にキャリッジの往復動に伴って画像記録を行うようになっている（例えば、特許文献１）。
【０００４】
そして、白色を背景とする記録画像を形成する場合に、例えば、前記インクジェットプリンタはキャリッジの往動に伴って白インク用記録ヘッドから白インクを記録媒体の全面に吐出させる。次いで白インクが硬化した後、前記インクジェットプリンタはキャリッジの復動に伴って有色インク用記録ヘッドから各インクを白インク上に吐出させ、重ね印刷を行い、白色を背景とする記録画像を形成するようになっている。また、前記キャリッジの往復回数を増やすことによって白インク及び有色インクによって形成される画像は高精細となるようになっている。
【特許文献１】特開昭６０−２２９７５７号公報
【発明の開示】
【発明が解決しようとする課題】
【０００５】
しかしながら、白インクはあくまでも背景画像を形成する際に用いられるので、白インクで形成する背景画像は高精細でなくてもよい。また、このようなインクジェットプリンタは前記の搬送停止時にのみ画像記録を行うようになっているので、前記搬送停止の時間が長いほど画像記録に要する時間がかかってしまう。特に、前記重ね印刷を行う場合には先に吐出されたインクの硬化を待って重ねるインクを吐出するので、前記搬送停止の時間が長くなり画像記録に時間がかかってしまうという問題がある。このことは大量の記録画像を形成する際に重大な問題となっている。
【０００６】
そこで、本発明の課題は低コストの部品構成からなり、短時間でいわゆる重ね印刷をすることができるインクジェットプリンタを提供することを目的とする。
【課題を解決するための手段】
【０００７】
前記の問題を解決するために、請求項１に記載の発明においては、インクを吐出する吐出口を有する記録ヘッドを用いて記録媒体に画像記録を行うインクジェットプリンタであって、主走査方向の往復動作を伴って前記記録媒体にプロセスカラーのインクを吐出するシリアル方式のシリアル記録ヘッドと、主走査方向に延在する吐出口を有し前記記録媒体の全面に同色のインクを吐出するライン方式のライン記録ヘッドと、を備えたことを特徴としている。
【０００８】
このように請求項１に記載の発明によれば、すべての記録ヘッドをシリアル記録ヘッドに比べ高価なライン記録ヘッドにすることなく、間欠的搬送の搬送時において前記ライン記録ヘッドによって背景となる色のインクを前記記録媒体に吐出し、次いで搬送停止時において前記シリアル記録ヘッドによって画像を形成するインクを記録媒体に吐出することができる。そのため、前記記録媒体の間欠的搬送における一連の動作を記録作業に有効に用いることができる。
【０００９】
請求項２に記載の発明は、請求項１に記載のインクジェットプリンタにおいて、前記ライン記録ヘッドは、前記シリアル記録ヘッドよりも解像度が低いことを特徴としている。
【００１０】
このように請求項２に記載の発明によれば、前記記録媒体の間欠的搬送における一連の動作を記録作業に有効に用いることができるとともに、解像度の低い安価なライン記録ヘッドを用いることができる。
【００１１】
請求項３に記載の発明は、請求項１又は請求項２に記載のインクジェットプリンタにおいて、前記インクは、紫外線を照射されることにより硬化する紫外線硬化型インクであり、前記記録媒体に着弾した前記インクに対して紫外線を照射する紫外線照射装置を備えることを特徴としている。
【００１２】
このように請求項３に記載の発明によれば、紫外線硬化型インクを用いた場合であっても前記記録媒体の間欠的搬送における一連の動作を記録作業に有効に用いることができる。
【００１３】
請求項４に記載の発明は請求項３に記載のインクジェットプリンタにおいて、前記記録媒体は、透明又は半透明の樹脂製フィルムであることを特徴としている。
【００１４】
請求項４に記載の発明によれば、前記記録媒体が透明又は半透明の樹脂製フィルムであっても紫外線硬化型インクを用いているので、前記記録媒体上に画像を形成することができる。そのため前記記録媒体が透明又は半透明の樹脂製フィルムであっても前記記録媒体の間欠的搬送における一連の動作を記録作業に有効に用いることができる。
【００１５】
請求項５に記載の発明は請求項４に記載のインクジェットプリンタにおいて、前記ライン記録ヘッドは、前記シリアル記録ヘッドよりも副走査方向の上流側、又は下流側の少なくとも一方に配置されていることを特徴としている。
【００１６】
請求項５に記載の発明によれば、前記透明又は半透明の樹脂フィルムである前記記録媒体に対して、表刷り、裏刷り又はその両方の印刷方法を行うことができる。
【００１７】
請求項６に記載の発明は請求項１から請求項５の何れか一項に記載のインクジェットプリンタにおいて、前記ライン記録ヘッドの吐出口は、白インクを貯留するインクタンクと連通していることを特徴としている。
【００１８】
請求項６に記載の発明によれば、背景画像の背景色として白インクを用いる場合であっても、前記記録媒体の間欠的搬送における一連の動作を記録作業に有効に用いることができる。
【発明の効果】
【００１９】
請求項１に記載の発明によれば、すべての記録ヘッドを高価なライン方式の記録ヘッドにすることなく、前記記録媒体の間欠的搬送における一連の動作を記録作業に有効に用いることができるので、低コストの部品構成であっても短時間でいわゆる重ね印刷をすることができるという効果を奏する。
【００２０】
請求項２に記載の発明によれば、前記記録媒体の間欠的搬送における一連の動作を記録作業に有効に用いることができるとともに、解像度の低い安価なライン方式の記録ヘッドを用いることができるので、より低コストの部品構成を採用できるとともに短時間でいわゆる重ね印刷をすることができるという効果を奏する。
【００２１】
請求項３に記載の発明によれば、紫外線硬化型インクを用いた場合であっても前記記録媒体の間欠的搬送における一連の動作を記録作業に有効に用いることができるので、短時間でいわゆる重ね印刷をすることができるという効果を奏する。
【００２２】
請求項４に記載の発明によれば、前記記録媒体が透明又は半透明の樹脂製フィルムであっても前記記録媒体の間欠的搬送における一連の動作を記録作業に有効に用いることができるので、短時間でいわゆる重ね印刷をすることができるという効果を奏する。
【００２３】
請求項５に記載の発明によれば、前記透明又は半透明の樹脂フィルムである前記記録媒体に対して、表刷り、裏刷り又はその両方の印刷方法を行うことができるので、短時間で表刷り又は裏刷りを行うことができるという効果を奏する。
【００２４】
請求項６に記載の発明によれば、背景画像の背景色として白インクを用いる場合であっても、前記記録媒体の間欠的搬送における一連の動作を記録作業に有効に用いることができるので、短時間でいわゆる重ね印刷をすることができるという効果を奏する。
【発明を実施するための最良の形態】
【００２５】
以下、図面を参照しながら本発明に係るインクジェットプリンタの実施形態について説明する。ただし、発明の範囲は図示例に限定されない。
図１に示すインクジェットプリンタ１には、その外枠を構成し長尺な筐体（不図示）が備えられている。この筐体の内部には、その長手方向（以下、単に主走査方向という）に延在するガイドレール２が設けられている。このガイドレール２には主走査方向に往復動するキャリッジ５が支持されており、このキャリッジ５はキャリッジ駆動装置７（図２参照）によりガイドレール２に沿って案内されるようになっている。
【００２６】
このキャリッジ５には、主走査方向と直交する方向（以下、単に副走査方向という）に配列されたインク吐出口を有するシリアル方式のシリアル記録ヘッド３が、主走査方向に沿って４個取り付けられている。これらシリアル記録ヘッド３，３・・には、イエロ（Ｙ）、マゼンタ（Ｍ）、シアン（Ｃ）、ブラック（Ｂｋ）のいずれか一色の紫外線硬化型インクを貯留するインクタンク（不図示）が接続されており、各シリアル記録ヘッド３，３・・は、前記何れか一色の紫外線硬化型インクを吐出するようになっている。
【００２７】
このキャリッジ５における主走査方向の両端部には、シリアル記録ヘッド３，３によって記録媒体４に吐出されたインクに紫外線を照射する第一紫外線照射装置６，６が取り付けられている。この第一紫外線照射装置６，６は、記録媒体４に着弾したインクに紫外線を照射するようになっている。
【００２８】
次に、シリアル記録ヘッド３，３・・の各吐出口と対向する側であって、シリアル記録ヘッド３，３・・の移動範囲の中央部には、副走査方向に延在する平板状のプラテン８が設けられており、このプラテン８は副走査方向の上流側から搬送される記録媒体４を非記録面から支持し、記録媒体４の記録面を略水平状態に保持するようになっている。
【００２９】
このプラテン８における副走査方向の上流側であって記録媒体４の記録面側には、プラテン８と対向する位置に主走査方向に沿って配列されたインク吐出口を有するライン方式の第一ライン記録ヘッド１０が設けられており、第一ライン記録ヘッド１０は記録媒体４の全幅にインクを吐出できるようになっている。また、プラテン８における副走査方向の下流側であって記録媒体４の記録面側には、プラテン８と対向する位置に主走査方向に沿って配列されたインク吐出口を有するライン方式の第二ライン記録ヘッド１２が設けられており、第二ライン記録ヘッド１２は記録媒体４の全幅にインクを吐出できるようになっている。
【００３０】
これら第一ライン記録ヘッド１０，第二ライン記録ヘッド１２には、酸化チタンを顔料とする白色の紫外線硬化型インクを貯留するインクタンク（不図示）が接続されており、第一ライン記録ヘッド１０及び第二ライン記録ヘッド１２は白色の紫外線硬化型インクを吐出するようになっている。
【００３１】
この第一ライン記録ヘッド１０の近傍であって第一ライン記録ヘッド１０の副走査方向の下流側には、第一ライン記録ヘッド１０よって記録媒体４に吐出されたインクに紫外線を照射する第二紫外線照射装置１１が取り付けられている。また同様に、第二ライン記録ヘッド１２の近傍であって第二ライン記録ヘッド１２の副走査方向の下流側には、第二ライン記録ヘッド１２よって記録媒体４に吐出されたインクに紫外線を照射する第二紫外線照射装置１３が取り付けられている。これら第二紫外線照射装置１１，１３には、記録媒体４の全幅に延在する棒状の紫外線光源（不図示）が備えられており、記録媒体４に着弾した白色のインクは紫外線の照射により硬化するようになっている。
【００３２】
ここで、第一ライン記録ヘッド１０及び第二ライン記録ヘッド１２の１インチあたりのインク吐出口の数はシリアル記録ヘッド３，３・・に比べて少なくなっている。また、シリアル記録ヘッド３，３・・、第一ライン記録ヘッド１０及び第二ライン記録ヘッド１２の内部には、ピエゾ素子（不図示）などの圧電素子が設けられており、この圧電素子によって各インク吐出口から所定量のインクを吐出するようになっている。さらに、第一ライン記録ヘッド１０及び第二ライン記録ヘッド１２の各インク吐出口から吐出されるインク量は、シリアル記録ヘッド３，３・・の各インク吐出口から吐出されるインク量よりも多くなっている。そして第一ライン記録ヘッド１０及び第二ライン記録ヘッド１２から吐出されるインク量は、記録媒体４に着弾した際に各インクドットの外縁が互いに重なり合う程度となっている。なお、本実施形態で用いられるシリアル記録ヘッド３，３・・の一個のインク吐出口から吐出されるインク量は４ｐｌであり、第一ライン記録ヘッド１０及び第二ライン記録ヘッド１２から吐出されるインク量は２０ｐｌとなっている。また、第一紫外線照射装置６，６及び第二紫外線照射装置１１，１３に備えられる紫外線光源としては、高圧水銀ランプ、低圧水銀ランプ、メタルハライドランプ、ブラックライト、熱陰極管、冷陰極管、ＬＥＤ（Light Emitting Diode）が適用可能となっている。
【００３３】
また、本実施形態のインクジェットプリンタ１には、記録媒体４を副走査方向の一方に搬送及び搬送停止を順に繰り返し、記録媒体４を間欠的に搬送する搬送装置が備えられている。この搬送装置には、プラテン８における副走査方向の両端近傍に設けられた第一搬送ローラ１４及び第二搬送ローラ１５が備えられている。これら第一搬送ローラ１４及び第二搬送ローラ１５は記録媒体４の非記録面を支持しながら、記録媒体４をプラテン８と各インク吐出口との間に配置するようになっている。
【００３４】
次に、図２を参照しつつ本実施形態における制御装置について説明する。
この制御装置は、たとえば、ＣＰＵ４０、ＲＡＭ４１、ＲＯＭ４２からなり、ＲＯＭ４２に記録された処理プログラムをＲＡＭ４１に展開してＣＰＵ４０によりこの処理プログラムを実行する制御部４３を有している。
【００３５】
この制御部４３には画像情報を入力するスキャナや、表刷り及び裏刷り等の画像記録条件を入力するキーボード等からなる入力部４４が接続されており、制御部４３は入力部４４から入力された所定情報、及び前述の処理プログラムに基づいて、第一搬送ローラ１４、第二搬送ローラ１５、シリアル記録ヘッド３，３・・、第一ライン記録ヘッド１０，第二ライン記録ヘッド１２、第一紫外線照射装置６，６、第二紫外線照射装置１１，１３及びキャリッジ駆動装置７等の動作を制御するようになっている。
【００３６】
前記の表刷りとは、例えば、透明である記録媒体２に画像記録を行う場合に、記録媒体２の全面に背景となる色のインクを吐出し、次いで背景となる色のインクが乾燥又は硬化した箇所に重ねて画像を形成するインクを吐出する印刷方法をいう。この印刷方法は画像が形成された部分に光を透過させ難くすることができるので、前記画像を際立たせることができるようになっている。また、前記の裏刷りとは、透明の記録媒体２に画像記録を行う場合に、記録媒体２の所定領域に画像を形成するインクを吐出し、次いで画像を形成するインクが乾燥又は硬化した箇所に重ねて背景となる色のインクを吐出する印刷方法をいう。この印刷方法では、画像は透明である記録媒体４のインクが吐出された面の裏側に形成されるようになっている。そのため前記画像を際出させる効果のほかに、前記画像の擦過に対し耐久性を保持することができるようになっている。
【００３７】
特に、本実施形態の制御部４３は、入力部４４から表刷りの画像条件が入力された場合に、第一ライン記録ヘッド１０を非作動にさせるとともに第二ライン記録ヘッド１２を作動させるようになっている。また、制御部４３は、入力部４４から裏刷りの画像条件が入力された場合に第一ライン記録ヘッド１０を作動させるとともに第二ライン記録ヘッド１２を非作動にさせるようになっている。
【００３８】
次に、本実施形態に用いられるインクとしては、特に、「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００３９】
具体的に、本実施形態に用いられるインクは、光としての紫外線の被照射により硬化する性質を具備する紫外線硬化型インクであり、主成分として、少なくとも重合性化合物（公知の重合性化合物を含む。）と、光開始剤と、色材とを含むものである。ただし、本実施の形態に用いるインクとして、前記「光誘導型交互共重合（第２節）」に適合するインクを用いる場合には、光開始剤は除外されてもよい。
【００４０】
前記紫外線硬化型インクは、重合性化合物として、ラジカル重合性化合物を含むラジカル重合系の紫外線硬化型インクとカチオン重合性化合物を含むカチオン重合系の紫外線硬化型インクとに大別されるが、どちらのインクも本実施の形態に用いられるインクとして適用可能であり、ラジカル重合系の紫外線硬化型インクとカチオン重合系の紫外線硬化型インクとを複合させたハイブリッド型インクを本実施形態に用いられるインクとして適用してもよい。
【００４１】
しかしながら、酸素による重合反応の阻害が少ない又は無いカチオン重合系の紫外線硬化型インクのほうが機能性・汎用性に優れるため、本実施の形態では、特に、カチオン重合系の紫外線硬化型インクを用いている。本実施の形態に用いられるカチオン重合系の紫外線硬化型インクは、具体的に、少なくともオキセタン化合物，エポキシ化合物，ビニルエーテル化合物等のカチオン重合性化合物と、光カチオン開始剤と、色材とを含む混合物であり、前記の通り、紫外線の被照射により硬化する性質を具備するものである。
【００４２】
また本実施形態で用いられる記録媒体４として、所謂軟包装に用いられる透明又は不透明な非吸収性の樹脂製フィルムが適用できる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ(メタ)アクリル酸エステル、ポリエチレン、ポリプロピレン、ナイロン等が適用可能であり、さらには、これら樹脂の共重合体、これら樹脂の混合物、これら樹脂を架橋したもの等も適用可能である。中でも、樹脂製フィルムの樹脂の種類として、延伸したポリエチレンテレフタレート，ポリスチレン，ポリプロピレン，ナイロンのいずれかを選択するのが、樹脂製フィルムの透明性・寸法安定性・剛性・環境負荷・コスト等の面で好ましく、２〜１０００μｍ（好ましくは２０〜１５０μｍ）の厚みを有する樹脂製フィルムを用いるのが好ましい。また、樹脂製フィルムの支持体の表面にコロナ放電処理、易接着処理等の表面処理を施してもよい。
【００４３】
次に、本実施形態に係るインクジェットプリンタ１の動作について説明する。
ユーザが記録媒体４をインクジェットプリンタ１にセッティングし、インクジェットプリンタ１の電源をオン状態とすると、前記各紫外線光源が発光する。
【００４４】
そして、制御部４３に対して入力部４４から所定情報が入力されると、制御部４３は各紫外線光源が発光している状態で、第一搬送ローラ１４及び第二搬送ローラ１５を制御して記録媒体４を副走査方向に搬送する。ここで、第一搬送ローラ１４及び第二搬送ローラ１５は搬送及び搬送停止を順に繰り返し、記録媒体４を間欠的に搬送する。
【００４５】
前記の間欠的搬送における停止時に、制御部４３はシリアル記録ヘッド３，３・・及びキャリッジ駆動装置７を制御して、記録媒体４の所定位置に向けてインクを吐出させる。この際、キャリッジ５の移動に伴って第一紫外線照射装置６，６もキャリッジ５と一体となって移動することで、記録媒体４に着弾したインクを紫外線光源から発せられた紫外線によって硬化させることができる。
【００４６】
また、入力部４４から裏刷りの画像条件が入力された場合には、前記の間欠的搬送における搬送時に、制御部４３は第二ライン記録ヘッド１２を制御して、記録媒体４の全幅に向けてインクを吐出させる。この際、記録媒体４に着弾したインクは記録媒体４の移動に伴って第二紫外線照射装置１３の紫外線照射領域に搬送される。そのため第二紫外線照射装置１３の紫外線光源から照射された紫外線によって記録媒体４に着弾したインクを硬化させることができる。
【００４７】
さらに、入力部４４から表刷りの画像条件が入力された場合には、前記の間欠的搬送における搬送時に、制御部４３は第一ライン記録ヘッド１０を制御して、記録媒体４の全幅に向けてインクを吐出させる。この際、記録媒体４に着弾したインクは記録媒体４の移動に伴って第二紫外線照射装置１１の紫外線照射領域に搬送される。そのため第二紫外線照射装置１１の紫外線光源から照射された紫外線によって記録媒体４に着弾したインクを硬化させることができる。
【００４８】
このように本実施形態に係るインクジェットプリンタ１は、記録媒体４の間欠的搬送の搬送時において、第一ライン記録ヘッド１０又は第二ライン記録ヘッド１２から背景となる色のインクを前記記録媒体に吐出させるとともに、記録媒体４の搬送停止時においてシリアル記録ヘッド３，３・・から画像を形成するインクを記録媒体４に吐出させる。そのため、本実施形態に係るインクジェットプリンタ１は記録媒体４の間欠的搬送における一連の動作を記録作業に有効に用いることができる。
【００４９】
なお、第一ライン記録ヘッド１０又は第二ライン記録ヘッド１２によって形成させる背景画像はドット径が大きいので、背景画像の鮮明度は低くなってしまう。しかしながら、第一ライン記録ヘッド１０又は第二ライン記録ヘッド１２によって形成される画像は背景画像であるため、解像度の高い高価なライン方式の記録ヘッドを用いなくとも、本実施形態に係るインクジェットプリンタ１は、形成する記録画像全体の画像の鮮明度が低くなることを防ぐことができる。
【００５０】
以上、説明したように本実施形態に係るインクジェットプリンタ１は、すべての記録ヘッドを高価なライン方式のライン記録ヘッドにすることなく、記録媒体４の間欠的搬送における一連の動作を記録作業に有効に用いることができるので、低コストの部品構成であっても短時間で表刷り又は裏刷り印刷をすることができるという効果を奏する。
【００５１】
また、本実施形態に係るインクジェットプリンタ１は解像度の低い安価な第一ライン記録ヘッド１０及び第二ライン記録ヘッド１２を用いているので、より低コストの部品によって構成することができるという効果を奏する.
【００５２】
さらに、本実施形態に係るインクジェットプリンタ１は記録媒体４が透明又は半透明の樹脂製フィルムであっても記録媒体４の間欠的搬送における一連の動作を有効に記録作業に用いることができるので、短時間で表刷り又は裏刷り印刷をすることができるという効果を奏する。また、本実施形態に係るインクジェットプリンタ１は紫外線硬化型インクを用いた場合であっても記録媒体４の間欠的搬送における一連の動作を有効に記録作業に用いることができるので、短時間で表刷り又は裏刷り印刷をすることができるという効果を奏する。また、本実施形態に係るインクジェットプリンタ１は記録画像の背景色として白インクを用いる場合であっても、記録媒体４の間欠的搬送における一連の動作を有効に記録作業に用いることができるので、短時間でいわゆる重ね印刷をすることができるという効果を奏する。
【００５３】
また、本実施形態に係るインクジェットプリンタ１は背景色として白インクを用い、透明又は半透明な樹脂製フィルムに表刷り又は裏刷りをすることができるので、白インクに重ねられたプロセスカラーを、他の背景色を用いた場合に比べて、効果的に際立たせることができるという効果を奏する。
【００５４】
また、従来のシリアル方式の白インク用記録ヘッドと、イエロ、マゼンタ、シアンの色の何れか一色のインクを吐出する複数のシリアル方式の有色インク用記録ヘッドとを備えるインクジェットプリンタは、背景画像を形成するために、複数回のキャリッジの往復動作を伴って白インクを吐出していた。しかしながら本実施形態に係るインクジェットプリンタ１は、ライン方式の第一、第二ライン記録ヘッド１０，１２を備え、記録媒体４の前記搬送時に白インクを吐出している。そのため総吐出回数で寿命が決まってしまうインクジェット方式の記録ヘッドにおいて、本発明は従来のインクジェットプリンタにおける白インク用記録ヘッドの寿命よりも白インクを吐出する第一、第二ライン記録ヘッド１０，１２の寿命を長くすることができるという効果を奏する。
【図面の簡単な説明】
【００５５】
【図１】本発明によるインクジェットプリンタの実施形態の構成を示す概略斜視図である。
【図２】本発明によるインクジェットプリンタの実施形態の構成を示すブロック図である。
【符号の説明】
【００５６】
１  インクジェットプリンタ
３  シリアル記録ヘッド
４  記録媒体
６  第一紫外線照射装置
１０  第一ライン記録ヘッド
１２  第二ライン記録ヘッド
１１，１３  第二紫外線照射装置
【図１】
2005138398.tif 000003
【図２】
2005138398.tif 000004